(57)【要約】      （修正有）【課題】従来とは異なる演出効果を有し、より遊技者の興趣を向上させることのできる遊技機用化粧板を提供する。【解決手段】板状に形成された基板に所定の絵柄を描いた絵柄層３が積層されている遊技機用化粧板１であって、透光性を有するフィルム状部材に所定の模様又は絵柄を施した透明ホログラム膜を積層した透明ホログラム層４を積層した。【選択図】図１
2018007739.tif 000002
【特許請求の範囲】
【請求項１】
板状に形成された基板に、所定の絵柄を描いた絵柄層が積層されている遊技機用化粧板であって、
透光性を有する樹脂材料を用いてシート状に形成され、予め定められたホログラム像を有する透明ホログラム層が前記絵柄層の表面及び／又は裏面に積層されていることを特徴とする遊技機用化粧板。
【請求項２】
透明ホログラム層は、シート状に形成されたフィルム状部材を有しており、ホログラム像は、前記フィルム状部材に形成されている凹部及び凸部を形成することにより形成されている請求項１記載の遊技機用化粧板。
【請求項３】
透明ホログラム層は、シート状に形成された透明なフィルム状の基材に対して金属蒸着を行った金属蒸着フィルムであり、ホログラム像は、前記金属蒸着フィルムに形成されている凹部及び凸部を形成することにより形成されている請求項１記載の遊技機用化粧板。
【請求項４】
透明ホログラム層は、シート状に形成された透光性を有するフィルム状部材に対して、凹部及び凸部を形成することによりホログラム像が形成されるホログラム像形成層が積層されている請求項１記載の遊技機用化粧板。
【請求項５】
透明ホログラム層は、エンボス加工を行うことにより凹部及び凸部が形成されているエンボス加工面を有している請求項１〜４のいずれかに記載の遊技機用化粧板。
【発明の詳細な説明】
【技術分野】
【０００１】
本発明は、遊技機に用いられる遊技機用化粧板に関する。
【背景技術】
【０００２】
遊技機用化粧板は、パチンコ機やスロットマシンといった各種の遊技機に取付固定されている。この遊技機用化粧板は、その遊技機の機種名やコンセプトを絵柄等で表したり、特にパチンコ機では遊技盤と呼ばれる板状の部材として多く利用されている。遊技機用化粧板を遊技盤として利用する場合、この遊技盤にはセンター役物や各種の入賞装置が設けられたり、また多数の遊技釘が打ちつけられている。
【０００３】
従来から用いられている遊技機用化粧板は、一般的には基材に各種の層が順次積層されている。また、一般的に、遊技機用化粧板には、２つの態様が存在する。一つ目の態様は、基材にベニヤ板等のような合板木材を用いた態様である。そして、二つ目の態様は、基材に透明樹脂板を用いた態様である。これら合成木材を用いた態様及び透明樹脂板を用いた態様では、ともに基材に対して絵柄層や金属薄膜を用いたホログラム層等のような各種の層が積層されており、遊技機において遊技者の興趣を向上させる演出を行うことができるようになっている。例えば、下記に示す特許文献１では、台紙の上に絵柄層等のような各種の層を積層させた化粧シートをベニヤ板等で形成された基材に接着剤等で貼り付けて形成された化粧シートが開示されている。また、特許文献２では、樹脂成形板で形成された基材に絵柄層等のような各種の層を積層させた化粧シートが開示されている。
【０００４】
また、従来から知られている遊技機用化粧板では、上記した通り、基材に対してホログラム層を積層した遊技機用化粧板も知られている。例えば特許文献３に記載されている遊技機用化粧板では、ホログラム層を順次積層した遊技機用化粧板が知られている。
【先行技術文献】
【特許文献】
【０００５】
【特許文献１】実用新案登録第３００９５２５号公報
【特許文献２】特開２０１４−１２１５３８号公報
【特許文献３】特開２０１５−１０４３９２号公報
【発明の概要】
【発明が解決しようとする課題】
【０００６】
従来の遊技機用化粧板に用いられていたホログラム層は、不透明な台紙の上に金属薄膜を蒸着したりすることにより形成されていた。そのため、従来のホログラム層は、金属的な色調になる傾向が強く、またこの様な金属的な色調でキラキラと輝いて遊技機の演出をより向上させていた。しかしながら、遊技機用化粧板においては、ホログラム層を積層したすべての箇所において、金属調、言い換えればメタリック調な色調になるため、遊技機用化粧板の絵柄によっては、その色調が馴染まず、遊技者に対して違和感を感じさせてしまうことがあった。
【０００７】
そのため、従来の遊技機用化粧板は、金属調にキラキラ輝くことが馴染まない箇所には、ホログラム層よりも表面側、言い換えるとホログラム層よりも遊技を行っている遊技者寄りに白色層を形成して、ホログラム層において光がキラキラ輝くように反射しないようにすることで遊技者が違和感を感じないようにしていた。これにより、白色層が積層されている箇所においてはホログラム層によってキラキラ輝く演出は行われなくなり、遊技者に対して違和感を感じさせないようにすることができた。しかし、白色層は、ホログラム層においてキラキラ輝く演出を行う態様だけではなく、全ての光を用いた演出を遮断してしまうため、白色層が積層されている箇所では、光を利用した演出を行うことが全くできなくなってしまうという問題があった。特に、白色層を形成する範囲が広くなると、光を利用した演出を行えない範囲が広がることにつながるため、遊技者の興趣を向上させる演出を行うことが難しくなってしまっていた。また、近年は、ホログラム層による金属調にキラキラ輝くような色調とは異なる態様で、やはりキラキラ輝くような光を用いた演出を行うことが広く望まれていた。
【０００８】
本発明は、上記した問題点等に鑑みてなされたものであり、従来とは異なる演出効果を有し、より遊技者の興趣を向上させることのできる遊技機用化粧板を提供することを目的とする。
【課題を解決するための手段】
【０００９】
本発明は、
（１）板状に形成された基板に、所定の絵柄を描いた絵柄層が積層されている遊技機用化粧板であって、透光性を有する樹脂材料を用いてシート状に形成され、予め定められたホログラム像を有する透明ホログラム層が前記絵柄層の表面及び／又は裏面に積層されていることを特徴とする遊技機用化粧板、
（２）透明ホログラム層は、シート状に形成されたフィルム状部材を有しており、ホログラム像は、前記フィルム状部材に形成されている凹部及び凸部を形成することにより形成されている上記（１）記載の遊技機用化粧板、
（３）透明ホログラム層は、シート状に形成された透明なフィルム状の基材に対して金属蒸着を行った金属蒸着フィルムであり、ホログラム像は、前記金属蒸着フィルムに形成されている凹部及び凸部を形成することにより形成されている上記（１）記載の遊技機用化粧板、
（４）透明ホログラム層は、シート状に形成された透光性を有するフィルム状部材に対して、凹部及び凸部を形成することによりホログラム像が形成されるホログラム像形成層が積層されている上記（１）記載の遊技機用化粧板、
（５）透明ホログラム層は、エンボス加工を行うことにより凹部及び凸部が形成されているエンボス加工面を有している上記（１）〜（４）のいずれかに記載の遊技機用化粧板を要旨とする。
【発明の効果】
【００１０】
本発明によれば、透明ホログラム層を積層しているので、金属調に輝く色調とは異なる色調でキラキラ輝くような演出を行うことができる。したがって、本発明によれば、遊技者の興趣を従来とは異なった態様で向上させる演出を行うことができる。
【図面の簡単な説明】
【００１１】
【図１】本発明に係る遊技機用化粧板の第１の実施の形態を表す模式図である。
【図２】透明ホログラム層の態様を表す模式図である。
【図３】本発明に係る遊技機用化粧板の第２の実施の形態を表す模式図である。
【図４】本発明に係る遊技機用化粧板の第３の実施の形態を表す模式図である。
【図５】本発明に係る遊技機用化粧板の第４の実施の形態を表す模式図である。
【図６】本発明に係る遊技機用化粧板の第５の実施の形態を表す模式図である。
【図７】本発明に係る遊技機用化粧板の第６の実施の形態を表す模式図である。
【図８】本発明に係る遊技機用化粧板の第７の実施の形態を表す模式図である。
【発明を実施するための形態】
【００１２】
本発明に係る遊技機用化粧板１について、図面を用いて詳細に説明する。まず、図１に基いて、本発明に係る遊技機用化粧板１の第１の実施の形態を説明する。本実施の形態に係る遊技機用化粧板１は、基板２、絵柄層３及び透明ホログラム層４を順次積層させた態様である。具体的には、板状に形成された基板２の表面に所定の絵柄を描いた絵柄層３が積層されており、この絵柄層３の表面に、透光性を有する樹脂材料を用いてシート状に形成され、予め定められたホログラム像９を有する透明ホログラム層４が積層されている。
【００１３】
基板２と絵柄層３との間、及び絵柄層３と透明ホログラム層４との間は、例えば図示しない接着剤や粘着剤によって、互いに密着された状態になるように構成されている。なお、接着剤及び粘着剤は、必ずしも必要と言うわけではなく、他の方法、例えば基板２の表面に直接絵柄を描いて絵柄層３を基板２に対して積層させると言った場合のように、接着剤や粘着剤を用いずに順次積層させることができる場合には、そのようにして順次積層させてもよい。
【００１４】
基板２は、遊技機用化粧板１のベースとなる部材である。この基板２は、木製のものや樹脂材料を用いて形成される板状の部材である。基板２は、木製のものである場合には、木板、合板、合成木材、合成木材合板等を用いることができるが、これらの中でも、基板２の反りが生じ難い等の観点から、ベニヤ板等のような合板で形成することが好ましい。基板２は、木製のものである場合には、厚さが１０〜２０ｍｍであることが好ましく、１８〜２０ｍｍであることがより好ましい。
【００１５】
また、樹脂材料を用いて基板２を形成する場合には、透光性を有するものであることが好ましい。ここで「透光性を有する」とは、光を透過する性質を有するものであればよく、例えば無色透明であっても、有色透明であってもよいし、また半透明であってもよい。基板２を樹脂材料で形成する場合には、合成樹脂材料又はガラス材料を用いることができる。
【００１６】
基板２に用いる成樹脂材料としては、例えばポリカーボネート樹脂、アクリル系樹脂、セルロース系樹脂、ポリアミド系樹脂、ポリスチレン系樹脂、ＡＢＳ樹脂等が例示される。合成樹脂材料として透光性が求められる場合には、例えばポリカーボネート樹脂、ポリアクリル酸メチル、ポリメタクリル酸メチル、アクリル酸メチル・スチレン共重合体、メタアクリル酸メチル・スチレン共重合体等のアクリル系樹脂、ポリスチレン系樹脂等が挙げられる。また、軽量化を求める場合には、合成樹脂発泡体を使用することもできる。この場合には、機械的強度等の観点から低発泡倍率のものを用いることが好ましい。なお、基材を形成する材料は上記したものに限定されず、これら以外のものを任意に選択して適宜用いてよい。基板２が樹脂材料で形成される場合には、該基板２の厚みは５〜２０ｍｍであることが好ましく、８〜１０ｍｍであることがより好ましい。
【００１７】
基板２は、表面が平滑面となるように形成してもよいし、予め開口部等を開口形成してもよい。また、基板２には、表面等に段差を予め設けるように形成してもよい。樹脂材料を用いて基板２を製造する場合には、射出成形により基板２を成形することが好ましい。射出成形で基板２を形成することにより、基板２に対して開口や凹凸等の段差等を容易に設けることができ、基板２の形状の自由度を大きく向上させることができるからである。
【００１８】
絵柄層３は、インクを用いて印刷等することによって予め定められた所定の絵柄を形成されている層である。絵柄層３で描かれる絵柄には、絵柄、図柄、模様、文字等が含まれる。絵柄層３の形成は、前面ベタ状に設けてもよいし、部分的に設けてもよい。絵柄層３の印刷には、一般には着色したインクが用いられている。また、多色刷りにする場合には、必要とする色のインクを重ね刷りして設けてもよい。絵柄層３を形成する際に用いる印刷方法としては、ＵＶオフセット印刷、シルク印刷、グラビア印刷等のような各種の印刷方法が挙げられる。絵柄層３の印刷方法は、上記したもののうち、一つの方法で印刷することもできるし、これらの方法を任意に組み合わせて二つ以上の印刷方法により印刷してもよい。
【００１９】
絵柄層３に用いるインク材としては、各種樹脂からなるベヒクルに染料、顔料等の着色剤を加え、必要に応じて溶剤、安定剤、硬化剤等を適宜混合して用いることができる。また、本発明に係る遊技機用化粧板１１では、絵柄層３３に用いるインク材として、特定の波長の光の照射により蛍光する蛍光体を含有する蛍光インクを用いてもよい。この場合の蛍光体は特に限定されるものではないが、紫外線の照射によって蛍光することが好ましく、例えばブラックライトの光（ブラックライト光）の照射によって蛍光することがさらに好ましい。ブラックライトは、僅かに見える紫外線であり、規格としてはＵＶ−Ａ（波長域：３２０ｎｍから３８０ｎｍ）を用いることができる。ブラックライトしては、例えばＬＥＤから照射される３７５μｍ付近の波長域の紫外線、例えば蛍光灯から照射される３１５〜４００μｍの波長域の紫外線等が挙げられる。また、この蛍光インクは、透明であることが好ましく、無色透明であることが更に好ましい。
【００２０】
透明ホログラム層４は、絵柄層３の表面に積層されている層で、遊技機用化粧板１において光を用いた演出を行う時に、キラキラ輝く態様を遊技者に見せたり、所定の模様や絵柄などを光で輝かせたホログラム像９を遊技者に見せることにより、遊技の興趣を向上させる演出を行うためのものである。
【００２１】
図２に示すように、本実施の形態に係る透明ホログラム層４は、３つの態様のいずれかで構成される。以下においては、透明ホログラム層４を構成する３つの態様について説明する。
【００２２】
まず、透明ホログラム層４の一つ目の態様について、図２（ａ）に基いて説明する。一つ目の態様の透明ホログラム層４は、シート状に形成されたフィルム状部材５を有しており、このフィルム状部材５に対してエンボス加工を行うことにより凹部６及び凸部７が形成されているエンボス加工面８が形成されている。そして、このエンボス加工面８における凹部６及び凸部７によって所定のホログラム像９が形成されている。
【００２３】
この態様におけるフィルム状部材５は、例えばポリエチレンテレフタレート（ＰＥＴ）、ポリプロピレン、ポリエチレン、ポリカーボネート、ポリスチレン、ポリ塩化ビニル、ポリアミド等の合成樹脂フィルムを用いることができる。これらの中でも、成形性、耐熱性、印刷適性等を考慮すると２軸延伸のポリエチレンテレフタレートフィルム又はポリプロピレンフィルム（ＯＰＰ）が最も好ましい。また、フィルム状部材５は、枚葉のシート状に形成されていることが好ましい。枚葉のシート状に形成されたフィルム状部材５を用いることにより、透明ホログラム層４を形成する際の数量を細かく選択することができ、製造コストを大きく低減することができるようになる。また、枚葉のシート状に形成することで、遊技機用化粧板１を製造する時の煩わしさもなく、製造効率を向上させることもできるようになる。
【００２４】
このようなフィルム状部材５は、厚さが１０〜１００μｍ程度であり、より好ましくは１０〜５０μｍである。厚さが１０〜５０μｍであると、製造コストを落としつつ、フィルム状部材５の強度も十分確保することができる。エンボス加工は、例えば、ホログラム像９を形成させる凹凸模様が形成されたエンボスロール又はエンボス板でフィルム状部材５の表面を圧接したり、又は所定温度まで加熱しながらエンボスロール又はエンボス板で圧接することにより、フィルム状部材５の表面にはエンボス加工面８が形成され、このエンボス加工面８には所定のホログラム像９が形成されるようになる。
【００２５】
透明ホログラム層４の一つ目の態様では、このようにフィルム状部材５にエンボス加工面８を形成して所定のホログラム像９を得ることにより、透明ホログラム層４を形成している。
【００２６】
次に、透明ホログラム層４の二つ目の態様について、図２（ｂ）に基いて説明する。二つ目の態様の透明ホログラム層４は、フォルム状部材として、シート状に形成された透明蒸着フィルムを使用しており、この透明蒸着フィルムに対してエンボス加工を行うことにより、凹部６及び凸部７を有するエンボス加工面８が形成されている。そして、このエンボス加工面８における凹部６及び凸部７によって、所定のホログラム像９が形成されている。
【００２７】
透明蒸着フィルムは、シート状に形成されたＰＥＴ、ＯＰＰフィルムを基材として、この基材の表面に金属アルミニウム、セラミックス、アルミナなどを蒸着することによって形成されている。基材に対してアルミニウム等を蒸着する方法は従来から公知の方法を任意に選択して用いてよく、例えば物理蒸着法（ＰＶＤ：Ｐｈｙｓｉｃａｌ  Ｖａｐｏｒ  Ｄｅｐｏｓｉｔｉｏｎ）や、ＣＶＤ法（Ｃｈｅｍｉｃａｌ  Ｖａｐｏｒ  Ｄｅｐｏｓｉｔｉｏｎ）、ＰＥ−ＣＶＤ法（Ｐｌａｓｍａ  ｅｎｈａｎｃｅｄ  ＣＶＤ）等が用いられている。
【００２８】
この場合における透明蒸着フィルムは、厚さが１０〜１００μｍ程度であり、１０〜５０μｍであることが好ましい。透明蒸着フィルムは、基材に対して金属薄膜を蒸着しているので、先に説明した一つ目の態様に係るフィルム状部材５よりも機械的強度には優れている。しかし、このように、透明蒸着フィルムの厚さを１０〜５０μｍにすると、より透明蒸着フィルムの強度を確保しつつ、製造コストも低減させることができる。
【００２９】
透明蒸着フィルムに形成されている凹部６及び凸部７は、例えばエンボス加工によって形成されている。エンボス加工の方法は上記したのと同様であり、このエンボス加工により凹部６及び凸部７が形成されることによりエンボス加工面８が形成され、所定のホログラム層がエンボス加工面８に形成されるようになっている。
【００３０】
次に透明ホログラム層４の三つ目の態様について、図２（ｃ）に基いて説明する。三つ目の態様の透明ホログラム層４は、シート状に形成された透光性を有するフィルム状部材５に対して、凹部６及び凸部７を形成することにより形成されるエンボス加工面８に所定のホログラム像９が形成されるホログラム像形成層１０が積層されている態様である。
【００３１】
この態様におけるフィルム状部材５としては、シート状に形成された枚葉に形成された紫外線透過性の樹脂フィルムが用いられている。フィルム状部材５は、例えばＰＥＴ、アクリル樹脂、ポリカーボネート、ポリプロピレン（ＰＰ）、塩ビ、キャブロイド及びセルロイド等のような透光性を有する樹脂材料、即ち透明樹脂材料が用いられる。また、このフィルム状部材５は、膜厚が７５μｍ〜５００μｍとなるように形成されている。
【００３２】
ホログラム像形成層１０は、フィルム状部材５の上に積層されており、所定の凹部６及び凸部７が形成されることにより所定のホログラム像９が形成されている。このようなホログラム像形成層１０を形成する材料としては、紫外線に対して優れた耐性を有すると共に紫外線により劣化しないものであればよく、具体的には、例えば、ポリエチレンテレフタラート、ポリエチレンナフタレート、ポリカーボネート、アクリル樹脂、ポリプロピレン、ポリエチレン、ポリビニルアルコール、テトラフルオロエチレン−パーフルオロアルキルビニルエーテル共重合体（ＰＦＡ）、ポリテトラフルオロエチレン（ＰＴＦＥ）、テトラフルオロエチレン（ＦＥＰ）、エチレン四フッ化エチレン共重合体（ＥＴＦＥ）等のフッ素系樹脂を始めとする種々の耐光性樹脂、並びにＵＶワニス等のようなＵＶインクや紫外線硬化性樹脂材料が用いられる。これらの耐光性樹脂、ＵＶインク及び紫外線硬化性樹脂材料については、その１種のみを単独で用いることができるほか、２種以上を混合物として使用することもできる。
【００３３】
この態様の透明ホログラム層４は、フィルム状部材５の上に所定膜厚の紫外線硬化性樹脂材が塗布され、この塗布された紫外線硬化性樹脂材がエンボス加工等によって加熱押圧されながら所定の凹部６及び凸部７が形成される。この時、エンボス加工を行うのは、所定の凹凸が形成されているエンボスローラーでもよいし、例えば所定の凹凸が形成されているベルト状の部材であってもよい。このようなエンボス加工が施されているものを押圧することによって、紫外線硬化性樹脂材の表面に対して凹部６及び凸部７が形成され、このように凹部６及び凸部７の形成された面がエンボス加工面８になる。そして、このようなエンボス加工面８が形成された状態でさらに紫外線を照射すると、凹部６及び凸部７が硬化してホログラム像９が形成されたホログラム像形成層１０となる。即ち、上記した方法によって、フィルム状部材５にホログラム像形成層１０が積層された透明ホログラム層４が形成される。
【００３４】
なお、本実施の形態に係る遊技機用化粧板１では、基板２と絵柄層３との間に台紙を積層してもよい。また、先に説明したように、本実施の形態に係る遊技機用化粧板１において各層を積層させる際に接着剤や粘着剤を用いてもよい。以下においては、台紙及び接着剤に関しても説明する。
【００３５】
台紙には、紙製の台紙又はプラスチック製の台紙が用いられる。まず、紙製の台紙としては、表面に輝きのある光沢を有するものが好ましく、鏡面状処理紙等が用いられる。裏面は鏡面状処理が施されていてもよいが、裏面は接着剤を介して基材に接合するので、鏡面状処理を施していなくてもよい。また、表面は着色されていてもよいが、絵柄層３３の色相を鮮明に出すためには、白色であることが好ましい。鏡面状処理紙の例としては、商品名「エスプリコート」（日本製紙社製）等が挙げられる。鏡面状処理紙としては、米坪１１０〜２００ｇ／ｍ２のものが好ましく、１２０〜１６０ｇ／ｍ２のものがより好ましい。その他、ケント紙、上質紙、コート紙、キャストコート紙、合成ゴムラテックス又は合成樹脂エマルジョンをコート又は含浸させた紙等が挙げられる。プラスチック製の台紙としては、性状が紙製の台紙と同じもので、ポリスチレン樹脂、ポリオレフィン系樹脂等のフィルムの表面に白色顔料を塗工して製造した合成紙が挙げられる。
【００３６】
接着剤は、基板２と台紙、及び台紙と絵柄層３とを密着した状態で積層させるためのものである。この接着剤は、厚みが１０〜２００μｍであることが好ましく、１５〜３０μｍであることがより好ましい。また、接着剤は、基板２の表面全体に対して接着固定されるように形成されることが好ましい。接着剤に用いられる材料は、ポリエステル系樹脂、エチレン酢酸ビニル系樹脂、ポリウレタン樹脂、ポリアミド系樹脂等が挙げられるが、接着剤に用いられるものとしては透明であることが好ましく、エチレン酢酸ビニル系等を用いることが好ましい。接着剤を透明にすることで、例えば基板２の裏面側から光が照射された場合に、照射された光の損失を少なくすることができ、より光を使った演出を行うことができる。なお、本実施の形態に用いることが接着剤としては、加圧することにより接着するもの、加熱及び加圧することにより接着するものであることがより好ましい。また、本実施の形態では、基板２、台紙及び絵柄層３のそれぞれを密着した状態とするために接着剤を用いたが、基板２、台紙及び絵柄層３のそれぞれが密着された状態にすることができるのであれば接着剤に限定されない。例えば、接着剤に代えて粘着剤やホットメルト接着剤、これら以外のものを任意に選択して適宜用いてよい。
【００３７】
このように、上記した態様の透明ホログラム層４が積層された遊技機用化粧板１によれば、基板２の表面側に、絵柄層３及び透明ホログラム層４が順次積層されるので、遊技機用化粧板１に照射された光によって、絵柄層３による光の演出と透明ホログラム層４による光の演出とを相乗的に組み合わせた光の演出を行うことができる。特に、本態様の遊技機用化粧板１では、絵柄層３が透明ホログラム層４の裏面側に位置し、透明ホログラム層４が絵柄層３の表面側に位置するように積層されているので、透明ホログラム層４における光の演出を十分にいかしつつ、絵柄層３による光の演出とを組み合わせて行うことができる。また、透明ホログラム層４は、透明なフィルム材を用いて形成されていることから、金属調とは異なる色調で光の演出を行うことができる。したがって、本態様の遊技機用化粧板１では、遊技者に対しても、より遊技の興趣を向上させやすい演出を行うことができる。
【００３８】
また、透明ホログラム層４をこのように形成することで、遊技機用化粧板１の外部から照射されると、さらによりキラキラした華やかな態様で反射するようにできる。そのため、遊技者に対して、より鮮やかな演出を提供することができ、遊技者の興趣をさらにより大きく向上させることができる。また、本態様のように、透明ホログラム層４に光反射層を積層すると、例えば、この光反射層のさらに表面側にコーティング等を施したり他の層を積層した場合においても、透明ホログラム層４におけるホログラムエンボス加工による凹凸が糊や接着剤等で埋まることがない。そのため、他の層を積層等した場合であっても、キラキラした所定の華やかな演出効果を遊技者に対して提供することができ、光を用いた演出のバリエーションをさらに増加させることができる。
【００３９】
なお、図１に示した態様では、遊技機用化粧板１において台紙を積層していない例を用いて説明したが、例えば基板２に透明樹脂板を用いて台紙を積層せずに上記したそれ以外の層を順次積層した場合には、遊技機用化粧板１が全体的に透光性を有するように構成されることになる。したがって、遊技機用化粧板１の前側から照射される光が反射することによるだけではなく、遊技機用化粧板１の後側から照射される光が遊技機用化粧板１を透過することで、絵柄層３における絵柄等や透明ホログラム層４におけるホログラムを遊技機用化粧板１の後側からキラキラさせるような華やかな演出をも行うことができる。即ち、この態様では、遊技機用化粧板１の前側から照射される光による演出と、遊技機用化粧板１の後側から照射される光による演出とを相乗的に組み合わせることで、さらにより遊技者の興趣を向上させることができるようになる。
【００４０】
なお、以下において、本発明に係る遊技機用化粧板１の他の構成について説明するが、透明ホログラム層４の構成は先に説明した態様と同様である。したがって、以下においては、遊技機用化粧板１の積層構成において透明ホログラム層４の構成としては、上記した全ての態様を含むものとして説明する。
【００４１】
本発明に係る遊技機用化粧板１の第２の実施の形態を図３に基いて説明する。本実施の形態に係る遊技機用化粧板１１は、基板１２の表面側に透明ホログラム層１４と絵柄層１３とを順次積層していき、最表面側に絵柄層１３が積層されている態様である。なお、基板１２、透明ホログラム層１４及び絵柄層１３の詳細な説明は先に説明したのと同様であるから、ここでの説明は省略する。
【００４２】
このように、本実施の形態に係る遊技機用化粧板１１によれば、絵柄層１３の裏面側、言い換えれば奥側に透明ホログラム層１４が積層されているので、遊技機用化粧板１１の表面側から照射された光や遊技機用化粧板１１の裏面側から照射されて該遊技機用化粧板１１を透過する光とによる光の演出を先に説明した態様とは異なる態様で光の演出を行うことができる。即ち、本実施の形態では、絵柄層１３の奥側に透明ホログラム層４が積層されているので、光が照射されると絵柄層１３における各種の絵柄等の奥において透明ホログラム層１４における各種ホログラムの光の態様が視認されることになる。したがって、本実施の形態に係る遊技機用化粧板１１によれば、絵柄層１３における各種絵柄が浮き上がって見えると共に、その奥には透明ホログラム層１４における各種ホログラムのキラキラした態様が視認できるようになり、より立体感のある演出を行うことができ、遊技者の興趣を大幅に向上させることができる。
【００４３】
次に、本発明に係る遊技機用化粧板２１の第３の実施の形態を図４に基いて説明する。本実施の形態に係る遊技機用化粧板２１は、基板２２の後面側に透明ホログラム層２４及び絵柄層２３が積層されている態様であり、基板２２の後面側から後方に向けて、透明ホログラム層２４と絵柄層２３が順次積層されている。なお、本実施の形態に係る遊技機用化粧板２１では、基板２２としては透明樹脂板が使用される。なお、基板２２、絵柄層２３及び透明ホログラム層２４の詳細な説明は先に説明したのと同様であるから、ここでの説明は省略する。
【００４４】
このような本実施の形態に係る遊技機用化粧板２１によれば、基板２２の後方に透明ホログラム層２４及び絵柄層２３が積層されることで、遊技機用化粧板２１の前側から照射される光は、基板２２を透過した後に透明ホログラム層２４及び絵柄層２３に到達し、さらにこれら透明ホログラム層２４及び絵柄層２３において反射した反射光は再度基板２２を透過した上で遊技機用化粧の表面側に出射する経路をたどる。また、遊技機用化粧板２１の後方側から照射される光は、絵柄層２３及び透明ホログラム層２４を透過した後に基板２２を透過した上で遊技機用化粧板２１の表面側に出射する。したがって、遊技者は、透明ホログラム層２４及び絵柄層２３を、基板２２を介して視認することになり、基板２２の厚さ分だけ奥行き感を有する状態で透明ホログラム層２４及び絵柄層２３が視認されるようになる。したがって、本実施の形態に係る遊技機用化粧板２１によれば、より奥行き感を持つ感覚を遊技者に与えつつ、光を用いた演出を視認させることができ、さらにより遊技者の興趣を向上させることもできる。
【００４５】
次に、本発明に係る遊技機用化粧板３１の第４の実施の形態を図５に基いて説明する。本実施の形態に係る遊技機用化粧板３１は、基板３２の後面側に絵柄層３３及び透明ホログラム層３４が積層されている態様であり、基板３２の後面側から後方に向けて、絵柄層３３及び透明ホログラム層３４が順次積層されている。なお、本実施の形態に係る遊技機用化粧板３１においても、基板３２には透明樹脂板が使用される。なお、基板３２、絵柄層３３及び透明ホログラム層３４の詳細な説明は先に説明したのと同様であるから、ここでの説明は省略する。
【００４６】
このような本実施の形態に係る遊技機用化粧板３１によれば、先に説明した第３の実施の形態に係る遊技機用化粧板２１により奏される作用効果に加え、絵柄層３３よりも後方側に透明ホログラム層３４が積層されていることにより得られる効果が相乗的に組み合わさった効果が得られる。即ち、本実施の形態に係る遊技機用化粧板３１は、上記した効果に加えて、絵柄層３３の奥側に透明ホログラム層３４が積層されているので、光が照射されると絵柄層３３における各種の絵柄等の奥において透明ホログラム層３４における各種ホログラムの光の態様が視認されることになる。したがって、本実施の形態に係る遊技機用化粧板３１によれば、絵柄層３３における各種絵柄が浮き上がって見えると共に、その奥には透明ホログラム層３４における各種ホログラムのキラキラした態様が視認できるようになり、より立体感のある演出を行うことができ、遊技者の興趣を大幅に向上させることができる。
【００４７】
次に、本発明に係る遊技機用化粧板４１の第５の実施の形態を図６に基いて説明する。本実施の形態に係る遊技機用化粧板４１は、基板４２を中心として、基板４２の表面側に透明ホログラム層４４を積層し、該基板２の後方側に絵柄層４３を積層した態様である。なお、基板４２、絵柄層４３及び透明ホログラム層４４の詳細な説明は先に説明したのと同様であるから、ここでの説明は省略する。
【００４８】
このように、本実施の形態に係る遊技機用化粧板４１によれば、基板４２の表面側に透明ホログラム層４４を積層し、基板２の後方側に絵柄層４３を積層しているので、透明ホログラム層４４と絵柄層４３との間に基板４２の厚さ分だけのスペースを確保することができる。したがって、本実施の形態に係る遊技機用化粧板４１によれば、遊技機用化粧板４１の前方から照射される光を用いて透明ホログラム層４４を照らし、遊技機用化粧板４１の後方から照射される光を用いて絵柄層４３を照らすので、透明ホログラム層４４の奥に絵柄層４３の絵柄が視認できるようになり、非常に奥行き感のある演出を遊技者に視認させることができるようになる。そのため、本実施の形態に係る遊技機用化粧板４１は、遊技者に対して遊技の興趣をさらに向上させることができるようになる。
【００４９】
次に、本発明に係る遊技機用化粧板５１の第６の実施の形態を図７に基いて説明する。本実施の形態に係る遊技機用化粧板５１は、基板５２を中心として、基板５２の表面側に絵柄層５３を積層し、基板５２の裏面側に透明ホログラム層５４を積層した態様である。なお、基板５２、絵柄層５３及び透明ホログラム層５４の詳細な説明は先に説明したのと同様であるから、ここでの説明は省略する。
【００５０】
このように、本実施の形態に係る遊技機用化粧板５１によれば、基板５２の表面側に絵柄層５３を積層し、基板５２の裏面側に透明ホログラム層５４を積層しているので、透明ホログラム層５４と絵柄層５３との間に基板５２の厚さ分だけのスペースを確保することができる。したがって、本実施の形態に係る遊技機用化粧板５１によれば、遊技機用化粧板５１の前方から照射される光を用いて絵柄層５３を照らし、遊技機用化粧板５１の後方から照射される光を用いて透明ホログラム層５４を照らすので、透明ホログラム層５４に対して絵柄層５３が浮かび上がったように見せることができる。そのため、本実施の形態に係る遊技機用化粧板５１は、遊技者に対してさらにより遊技の興趣を向上させるような光を用いた演出を行うことができ、さらにより遊技者の興趣を向上させることができる。
【００５１】
次に、本実施の形態に係る遊技機用化粧板６１の第７の実施の形態を図８に基いて説明する。本実施の形態に係る遊技機用化粧板６１は、基板６２を中心として、該基板６２の表面側に絵柄層６３と透明ホログラム層６４を順次積層し、さらに基板６２の裏面側に絵柄層６５と透明ホログラム層６６を順次積層した態様である。即ち、本実施の形態に係る遊技機用化粧板１は、後方側から前方側に向けて、透明ホログラム層６６、絵柄層６５、基板６２、絵柄層６３、透明ホログラム層６４と言うように、各層が順次積層されている。なお、基板６２、絵柄層６３，６５及び透明ホログラム層６４，６６の詳細な説明は先に説明したのと同様であるから、ここでの説明は省略する。
【００５２】
このような本実施の形態に係る遊技機用化粧板６１によれば、透明ホログラム層６４と絵柄層６３とを基板６２の表面側に積層し、さらに透明ホログラム層６６と絵柄層６５とを基板６２の裏面側に積層しているので、基板６２の表面側における透明ホログラム層６４と絵柄層６３との組み合わせによる演出効果と、基板６２の裏面側における透明ホログラム層６６と絵柄層６５との組み合わせによる演出効果とを相乗的に組み合わせて、遊技機用化粧板６１の演出態様を決定することができる。したがって、本実施の形態に係る遊技機用化粧板６１によれば、さらにより光を用いた演出態様のバリエーションを大きく増加し、さらに遊技者の興趣を向上させることのできる演出を行うことができる。
【００５３】
なお、本実施の形態に係る遊技機用化粧板６１では、遊技機用化粧板６１の後方側から前方側に向けて、透明ホログラム層６６、絵柄層６５、基板６２、絵柄層６３、透明ホログラム層６４を順次積層した態様について説明したが、このように積層する態様は上記したものに限定されるものではない。例えば、遊技機用化粧板１の後方側から前方側に向けて、透明ホログラム層６６、絵柄層６５、基板６２、透明ホログラム層６４、絵柄層６３を順次積層した態様、絵柄層６５、透明ホログラム層６６、基板６２、絵柄層６３、透明ホログラム層６４を順次積層した態様、絵柄層６５、透明ホログラム層６６、基板６２、透明ホログラム層６４及び絵柄層６３を順次積層した態様であってもよいし、これら以外の積層態様であってもよい。
【００５４】
これらの積層態様であっても、遊技者の興趣を大幅に向上させることのできる光を用いた演出を行うことができ、そのような演出効果を備えた遊技機用化粧板を提供することができる。
【００５５】
なお、上記した各実施の形態における遊技機用化粧板では、木板又は透明樹脂板を用いた基板と、絵柄層と、透明ホログラム層とを用いた積層態様について説明したが、本発明はこれに限定されるものではなく、上記した以外の層を積層してもよい。例えば、基板に対して、上記した絵柄層及び透明ホログラム層に加えて、金属薄膜層、白色層と呼ばれる層を積層してもよいし、さらには遊技球の衝突による遊技機用化粧板の表面の傷つきを防止して該遊技教化粧板の表面を保護するためにハードコート層や保護フィルムを積層してもよい。
【００５６】
また、上記した遊技機用化粧板の各実施の形態は、本発明に係る遊技機用化粧板を例示したにすぎないものであり、本発明の趣旨を逸脱しない範囲において適宜変更してよい。
【符号の説明】
【００５７】
１，１１，２１，３１，４１，５１，６１  遊技機用化粧板
２，１２，２２，３２，４２，５２，６２  基板
３，１３，２３，３３，４３，５３，６３，６５  絵柄層
４，１４，２４，３４，４４，５４，６４，６６  透明ホログラム層
５  フィルム状部材
６  凹部
７  凸部
８  エンボス加工面
９  ホログラム像
【図１】
2018007739.tif 000003
【図２】
2018007739.tif 000004
【図３】
2018007739.tif 000005
【図４】
2018007739.tif 000006
【図５】
2018007739.tif 000007
【図６】
2018007739.tif 000008
【図７】
2018007739.tif 000009
【図８】
2018007739.tif 000010